【手続補正書】
【提出日】平成21年12月9日(2009.12.9)
【手続補正１】
【補正対象書類名】明細書
【補正対象項目名】０００２
【補正方法】変更
【補正の内容】
【０００２】
コンテンツとしてのデータを記憶する記憶媒体として、ＨＤ（ハードディスク）や、フラッシュメモリなどに代表される半導体記憶素子を備えて構成される携帯型コンテンツプレーヤが広く普及している状況にある。このような携帯型コンテンツプレーヤでは、内蔵の記憶媒体に対して、例えばオーディオファイルやビデオファイルなどとしてのコンテンツデータを記憶して管理するとともに、このようにして記憶されたコンテンツデータを、例えば所定の再生操作に応じて再生することができるようになっている。このようにして再生されるコンテンツデータの音声は、例えば携帯型コンテンツプレーヤが備えるヘッドフォン端子から、ヘッドフォン駆動用の音声信号として出力されるようになっている。また、再生されるコンテンツデータの画像は、例えば携帯型コンテンツプレーヤが備える表示パネルにおいて表示されるようになっている。
【手続補正２】
【補正対象書類名】明細書
【補正対象項目名】００２３
【補正方法】変更
【補正の内容】
【００２３】
また、本実施の形態の携帯型コンテンツプレーヤ１では、基本的なワンセグ対応機能として、テレビジョンチューナ部１３によりワンセグ放送を受信選局、復調して得たビデオコンテンツを、リアルタイム的に、画像音声として出力させることも可能とされる。
このためには、テレビジョンチューナ部１３にて復調して得られたビデオコンテンツとしてのベースバンド形式の映像信号データ及び音声信号データを再生処理部２２に入力させて、それぞれの圧縮符号化方式に対応する復号処理を実行し、復号後の出力である映像信号データと音声信号データを、それぞれビデオ出力処理部１７、オーディオ出力処理部１５に出力させることとすればよい。以降、ビデオ出力処理部１７、表示用メモリ１８、ディスプレイ部１９、及びオーディオ出力処理部１５が、先に述べたビデオファイル再生時と同様の動作を実行することで、現在受信選局中にあるとされるワンセグ放送の画像音声を、表示パネル及びヘッドフォンにより視聴できることになる。
【手続補正３】
【補正対象書類名】明細書
【補正対象項目名】００２４
【補正方法】変更
【補正の内容】
【００２４】
また、デジタルテレビジョン放送では、周知のようにして、本放送（ビデオコンテンツとしての映像音声の情報）とともに、データ放送のデータや、字幕放送のデータなども多重化して伝送可能とされている。また、放送予定の番組に関する情報から成る、ＥＰＧ（電子番組ガイド：Electronic Program Guide）のデータ（ＥＰＧデータ）も伝送可能とされている。
本実施の形態の携帯型コンテンツプレーヤ１としては、これらのデータ放送、字幕放送、及びＥＰＧデータの受信と、そのデコード出力にも対応しているものとされる。
例えばテレビジョンチューナ部１３によりデータ放送、字幕放送、あるいはＥＰＧデータを受信して、データ放送のデータ、字幕データ、あるいはＥＰＧデータを取得した場合には、これらのデータを、制御部２０が取り込むようにされる。
制御部２０は、データ放送のデータについては、そのデータ形式に応じたデコード処理を実行するようにされる。このとき、データ放送のデータが表示用データであれば、制御部２０は、デコード処理後のデータ放送用のデータから表示用画像データを生成し、これを表示用メモリ１８に対して書き込むようにされる。これにより、例えばデータ放送の画像がディスプレイ部の表示画面に表示される。また、制御部２０は、受信取得したデータ放送用のデータが、例えば双方向サービスなどのための制御データなどである場合には、この制御データに応じた処理を実行するようにされる。
また、字幕放送のデータを受信取得した場合にも、制御部２０は、このデータを入力してデコードを行うようにされる。ここでの字幕は「キャプション」などともいわれ、デコードされた字幕データは、例えば所定最大文字数が規定されたテキストデータなどとされる。そして、制御部２０は、このテキストデータを解釈して表示用画像データを生成し、主画像（例えばワンセグ放送のビデオコンテンツ画像）とともに所定位置にて字幕が表示されるようにして、表示用メモリ１８に対する書き込みを行う。この結果、ディスプレイ部１９の表示画面には、主画像と共に字幕（キャプション）が表示された画像が表示される。
【手続補正４】
【補正対象書類名】明細書
【補正対象項目名】００５３
【補正方法】変更
【補正の内容】
【００５３】
ステップＳ８では、現在の変数ａは最大値（ａ＝full）であるか否かについての判別を行うようにされる。変数ａの最大値は、オーディオファイルリストにおいて示されるアーティストＩＤ（アーティスト名）についての内容区分数となる、図３の例であれば、変数ａの最大数は３となる。
ステップＳ８において否定の判別結果が得られた場合には、未だ処理が完了していないアーティストＩＤがあることになるので、ステップＳ９により変数ａをインクリメントしたうえで、ステップＳ３に戻るようにされる。これにより、順次、次のアーティストＩＤを対象とする処理が行われて、アーティストリストテーブルへの登録が行われていくことになる。
そして、全てのアーティストＩＤを対象とする処理が完了したとされると、ステップＳ８にて肯定の判別結果が得られることになり、この図に示す処理を終了するようにされる。そして、この段階では、アーティストリストテーブルは、オーディオファイル・メタデータテーブルに示されている全てのアーティストＩＤについてのテーブルリストが登録されている、即ち、完成した状態でメモリ部２１にて保持されていることになる。
【手続補正５】
【補正対象書類名】明細書
【補正対象項目名】００５５
【補正方法】変更
【補正の内容】
【００５５】
本実施の形態の携帯型コンテンツプレーヤ１としては、ワンセグ放送受信機能として、上記のＥＰＧデータを受信取得する機能も有している。
例えばテレビジョンチューナ部１３により現在選局しているチャンネルの受信信号にＥＰＧデータが多重化されていたとすると、テレビジョンチューナ部１３は、この多重化されているＥＰＧデータを抽出取得して、例えば制御部２０に転送する。制御部２０では、転送されてきたＥＰＧデータをメモリ部２１に保持しておくようにされる。
【手続補正６】
【補正対象書類名】明細書
【補正対象項目名】００５８
【補正方法】変更
【補正の内容】
【００５８】
上記のようにしてワンセグ放送に多重化され、携帯型コンテンツプレーヤ１にて受信取得して保持されるＥＰＧデータの具体的内容例として、１つの或る放送予定番組に対応するものを、図６に示しておく。ここでは、１番組に対応するＥＰＧデータの構造部分について、ＥＰＧ内番組単位情報ということにする。
この図６に示されるＥＰＧ内番組単位情報としては、対応する１番組に対応する情報項目として、放送局名、ジャンル、番組タイトル、開始日時、終了日時、番組内容などを有して形成されている。
放送局名は、対応する番組を放送する放送局名を示すもので、ここでは「テレビ日本」を示している。ジャンルは、対応する番組の内容的なジャンルを示すものとされ、ここでは「音楽」を示している。また、番組タイトルは、対応する番組の名を指すもので、この場合には「僕らの音楽」とされている。また、開始日時、終了日時は、それぞれ、対応する番組の放送開始・終了の日にちと時刻を示すものとされ、ここでは、開始日時が「2006/9/15（金）  23:00」、終了日時が「2006/9/15（金）  23:58」とされている。
また、番組内容は、対応する番組についての番組解説、要約などとしての内容が記述されるもので、ここでは、例えば「名曲総集編、出演：アーティストＡ、アーティストＣ」などのようにして、番組の内容の要約と、出演者の名前などが記述されている。
【手続補正７】
【補正対象書類名】明細書
【補正対象項目名】００８７
【補正方法】変更
【補正の内容】
【００８７】
ここで、例えばユーザの操作部２３に対する所定操作によって、オーディオコンテンツに関するユーザインターフェイス画面の１つであるアーティストリスト画面（情報内容リスト画像の１つである）を表示させるための指示が行われたとすると、表示画面部１９Ａには、図１１（ａ）に示される態様のアーティストリスト画面が表示される。アーティストリスト画面は、記憶部１２に記憶されているオーディオコンテンツ（オーディオファイル）についての全てのアーティスト名をリスト化して表示するものとされる。図１１（ａ）の場合には、図３に示されるオーディオファイル・メタデータテーブルが示すオーディオファイルの記憶内容に対応したものとなっており、「アーティストＡ」「アーティストＢ」「アーティストＣ」の各アーティスト名が表記されたリスト項目が示されている。
そのうえで、この場合のアーティストＡのリスト項目には、録画ファイルアイコン１０１（放送内容情報存在通知の表示）が配置表示されている。録画ファイルアイコン１０１は、これが配置表示されているリスト項目に示されるアーティストに関連した録画ファイルが存在することを通知する意義を持つ。先の具体説明によると、図６〜図１０までの説明の流れにより、アーティストＡを予約キー情報として、「僕らの音楽」というタイトルの番組が予約録画され、これが録画ファイルＩＤ＝V01の録画ファイルとして記憶部１２に記憶されている。図１１（ａ）の録画ファイルアイコン１０１は、この録画ファイルが記憶されていることに応じて表示されているものである。
また、アーティストリスト画面上には、リスト項目のうちから選択中にあるとされる１つの何れか１つを強調表示するようにして、カーソル１２０が配置されるようになっている。この図においては、カーソル１２０は、アーティストＢのリスト項目に配置された状態例が示されている。このカーソル１２０は、操作部２３に対する所定操作に応じてリスト項目間を順次移動するようにされる。
【手続補正８】
【補正対象書類名】明細書
【補正対象項目名】００８８
【補正方法】変更
【補正の内容】
【００８８】
このようにして図１１（ａ）に示すアーティストリスト画面が表示されている状態の下で、例えばユーザが、カーソル１２０を、アーティストＡのリスト項目に移動させるための操作を行ったとすると、これに応じて、アーティストリスト画面は図１１（ｂ）に示すようにして変化する。
つまり、カーソル１２０は、操作に応答してアーティストＡのリスト項目に移動する。また、アーティストＡのリスト項目には、録画ファイルアイコン１０１が配置されているのであるが、このようにして録画ファイルアイコン１０１が配置されたリスト項目にカーソル１２０が位置しているときには、図示するようにして、例えば録画ファイルアイコン１０１の部分が拡大されるようにして、ビデオタイトルリスト・ウィンドウ１１２が表示される。
【手続補正９】
【補正対象書類名】明細書
【補正対象項目名】０１１３
【補正方法】変更
【補正の内容】
【０１１３】
一方、ステップＳ４１０にて否定の判別結果が得られた場合には、オーディオタイトルリスト画面以外の他のインターフェイス画面を呼び出すための操作が行われたか否かについて判別し、否定の判別結果に応じては、ステップＳ４１０に戻るようにされる。これに対して、肯定の判別結果が得られたのであれば、ステップＳ４１３により、呼び出しを指定した他画面への表示に移行するようにされる。
【手続補正１０】
【補正対象書類名】明細書
【補正対象項目名】０１１４
【補正方法】変更
【補正の内容】
【０１１４】
図１５のフローチャートは、上記図１４のステップＳ４１１により出力されたオーディオファイルの再生開始要求に応答した処理手順例を示している。
ここでは、先ず、ステップＳ５０１により、オーディオファイル再生開始要求が得られるのを待機しており、上記のようにして、例えば図４のステップＳ４１１が実行されたことに応じてオーディオファイル再生開始要求が発生されたとすると、ステップＳ５０２以降の手順に移行する。
【手続補正１１】
【補正対象書類名】明細書
【補正対象項目名】０１２６
【補正方法】変更
【補正の内容】
【０１２６】
次に、図１９のフローチャートにより、図１２にて説明したようにして、録画ファイルリスト画面を起点として、録画ファイル再生、あるいはオーディオファイル再生に移行するための処理手順例について説明する。
ここでは、先ずステップＳ９０１により、現在表示中とされている録画ファイルリスト画面上でカーソル１２０を移動させるための操作が行われたか否かを判別している。そして、否定の判別結果が得られた場合には、後述するステップＳ９０５に進むようにされる。これに対して、肯定の判別結果が得られた場合には、ステップＳ９０２に進む。
ステップＳ９０２では、上記のカーソル移動操作に応じて、カーソル１２０を、他の録画ファイルのリスト項目の位置に移動表示させる。なお、このときに、カーソル１２０の移動前において、このカーソル１２０が配置されていたリスト項目にてオーディオタイトルリスト・ウィンドウ１１３が表示されていた場合には、今回のカーソル１２０の移動に伴って、このビデオタイトルリスト・ウィンドウ１１３を消去するようにされる。
次のステップ９０３では、今回のカーソル移動によりカーソル１２０が配置されたリスト項目にてオーディオファイルアイコン１０２を表示させているか否かについて判別し、否定の判別結果が得られたのであれば、ステップＳ９０１に戻るが、肯定の判別結果が得られたのであれば、ステップＳ９０４に進む。
【手続補正１２】
【補正対象書類名】明細書
【補正対象項目名】０１３６
【補正方法】変更
【補正の内容】
【０１３６】
ステップＳ１１０２においては、先ず、現在において再生対象となっている録画ファイル（ＩＤ）の録画ファイル対応メタデータの予約キー情報を参照し、ここに登録されているアーティストＩＤを取得する。そして、アーティストリストテーブルから、この取得したアーティストＩＤの対応オーディオファイルに格納される内容を取り込むようにされる。そして、この対応オーディオファイルから取り込んだオーディオファイルＩＤを利用して、オーディオファイルリスト・ウィンドウ１１３の表示用画像データを作成し、ビデオ再生画面上に重畳表示する。
そのうえで、次のステップＳ１１０３により、オーディオファイルリスト・ウィンドウ１１３に対するオーディオタイトル選択決定操作が行われるのを待機するようにされる。なお、この場合にも、例えばこのステップＳ１１０３によりオーディオタイトル選択決定操作を待機しているあいだに、特に操作がないまま一定時間が経過した、あるいはオーディオファイルリスト・ウィンドウ１１３を消去させるべき操作が行われたなどして、オーディオファイルリスト・ウィンドウ１１３の消去命令が出力された場合には、オーディオファイルリスト・ウィンドウ１１３の表示を消去するようにして表示制御を実行するようにされる。
そして、ステップＳ１１０３にてオーディオタイトルの選択決定操作が行われたとの判別結果が得られたとされると、ステップＳ１１０４により、選択決定されたオーディオタイトルに対応するオーディオファイルの再生開始要求を出力するようにされる。この再生開始要求に応じて、先に図１５に示したように、要求されたオーディオファイルの再生と、これに伴う楽曲再生画面の表示が行われる。このようにして、図１２（ｄ）から図１２（ｅ）、又は図１１（ｆ）から図１１（ｃ）に示すような録画ファイル再生からオーディオファイル再生への遷移が実現される。